(57)【特許請求の範囲】
【請求項１】
カップ本体とこれに螺合する蓋体と当該蓋体を貫通して取り付けられるストローとを有してなり、蓋体には中央の貫通孔を通してストローを取り付けるための取付け部が設けられているとともに、その取付け部の周囲に立設した周縁部分に嵌合してストローを密閉状態で覆うためのキャップがヒンジを介して取付け部の側部下端に一体的に取り付けられており、さらに取付け部の貫通孔の周囲に弁座が設けられているとともにその弁座に隣接して通気孔が設けられ、周縁部分の下部から弁座の上面に跨がった状態で通気孔を覆うリング状の軟質材弁が周縁部分に固定されており、キャップにはその内側にキャッピング時に軟質材弁を弁座に押圧する筒状突起を設けたことを特徴とするプラスチック製カップ容器。
【発明の詳細な説明】
【０００１】
【発明の属する技術分野】
本発明は、幼児がミルク、ジュースなどの飲み物を飲む際に使用されるプラスチック製カップ容器に関するものである。
【０００２】
【従来の技術】
従来より、育児用品の一つとして、幼児の成長に合わせて飲み方をシステムアップできる離乳用のカップ容器が一般的に使用されている。このカップ容器は、持ち手ハンドルの付いたカップ本体に蓋体により種々のパーツを取り付け可能としたプラスチック製のもので、具体的には、生後３ヶ月位から４〜５才頃までを対象に、乳首、トレーニング吸い口、ストロー、ドリンクトレーナー等を順に取り替えて使用するものである。
【０００３】
このうちのストロータイプを図１に示す。同図において１はカップ本体、２はその取付け部２ａでカップ本体１の上部に螺合する蓋体である。また、３は持ち手ハンドルであり、リング部３ａをカップ本体１の上部に嵌合した状態で蓋体２を螺合することにより固定される。そして、ストロー４は蓋体２に設けられた取付け部５を介して取り付けられており、ストロー４から中の飲み物が漏れないようにするため、蓋体２から突き出たストロー４の先端を覆うことのできるキャップ６がヒンジ７を介して取付け部５に一体的に設けられている。
【０００４】
このようなキャップ６を備えたストロータイプでは、カップ本体１に熱い飲み物を入れて蓋体２をセットした場合、カップ内の圧力が高まり、キャップ６を外した際に飲み物が熱い状態でストロー４から吹き出してやけどの原因となることがある。そこで、図１のプラスチック製カップ容器では、ストロー４の取付け部５を回動可能にするとともに当該取付け部５にカップ内と選択的に連通する通気孔を設けた構成とし、飲む時や持ち運んだりする時には取付け部分５を閉位置にして通気孔を閉じるようにし、調乳をする時などお湯を使う場合には通気孔を開いた状態にするように工夫している。
【０００５】
【発明が解決しようとする課題】
上記したキャップ付きのストロータイプは、通気孔の閉位置で熱い飲み物を入れた場合に、取付け部を回動して開位置にし、通気孔を開いた状態としてからキャップを外すことで吹き出しを防止するので、ストロー取付け部を回動してからキャップを外すという２つの操作が必要であり、特に密閉構造を採っているために回動操作が固くて面倒であった。また、通気孔開閉のための構造が複雑であることから、清掃がし難く、しかも製品コストが高くなるという問題もあった。
【０００６】
本発明は、上記のような問題点に鑑みてなされたものであり、その目的とするところは、キャップを外すと同時に通気孔を開けることができるプラスチック製カップ容器を提供することにある。
【０００７】
【課題を解決するための手段】
上記目的を達成するために、本発明に係るプラスチック製カップ容器は、カップ本体とこれに螺合する蓋体と当該蓋体を貫通して取り付けられるストローとを有してなり、蓋体には中央の貫通孔を通してストローを取り付けるための取付け部が設けられているとともに、その取付け部の周囲に立設した周縁部分に嵌合してストローを密閉状態で覆うためのキャップがヒンジを介して取付け部の側部下端に一体的に取り付けられており、さらに取付け部の貫通孔の周囲に弁座が設けられているとともにその弁座に隣接して通気孔が設けられ、周縁部分の下部から弁座の上面に跨がった状態で通気孔を覆うリング状の軟質材弁が周縁部分に固定されており、キャップにはその内側にキャッピング時に軟質材弁を弁座に押圧する筒状突起を設けたことを特徴とするものである。
【０００８】
【発明の実施の形態】
図２は本発明に係るプラスチック製カップ容器の一例を示すもので、その要部を拡大して示した半断面図である。
【０００９】
本発明のプラスチック製カップ容器は、図１に示したものと同様、カップ本体とこれに螺合する蓋体と当該蓋体に取り付けられるストローとを有してなり、通常は図１に示した如き持ち手ハンドルをも備えた構成になっている。
【００１０】
図２において１１は蓋体であり、この蓋体１１の斜め上方には中央の貫通孔を通してストロー２０を取り付けるための取付け部１２が設けられている。この取付け部１２には周縁部分１３が周囲に立設されており、この周縁部分１３の外面にキャップ１４が嵌合するようになっている。キャップ１４は蓋体１１から突き出たストロー２０の先端を密閉状態で覆うもので、軟質のヒンジ１５を介して取付け部１２の側部下端に一体的に取り付けられている。
【００１１】
このキャップ１４は中のストロー２０が見えるように透明又は半透明であることが望ましい。また、ヒンジ１５を介してのキャップ１４の取付けは公知の二色成形法によればよい。
【００１２】
蓋体１１の取付け部１２における中央の貫通孔の周囲には筒状の弁座１６が設けられており、さらにその弁座１６に隣接して通気孔１７が設けられている。この通気孔１７は少なくとも１つだけ設けてあればよい。そして、周縁部分１３の下部から弁座１６の上面に跨がった状態で通気孔１７を覆うリング状の軟質材弁１８が周縁部分１３に固定されている。図２の例では、軟質材弁１８を周縁部分１３に押し込み、軟質材弁１８の外周囲にある凸部を周縁部分１３の内周面にある凹部に嵌合することで固定している。ここで、軟質材弁１８の硬さは、通常の状態では開かず、熱い飲み物を入れた時に生ずる内圧によって開くように設定しておく。
【００１３】
上述のような固定方法の場合、清掃時における取外しを容易とするために、軟質材弁１８の上部に引っ掛け部分を設けておいてもよい。また、取外しが可能な別の固定方法としては螺合による方法がある。この場合、周縁部分１３の内周面と軟質材弁１８の外周面に互いに螺合するネジを設けておくようにする。また、取外しを考えない固定方法としては公知の二色成形法がある。
【００１４】
キャップ１４の内側にはキャッピング時に軟質材弁１８を弁座１６に押圧する筒状突起１９が設けられている。具体的には、図示のように、筒状突起１９の中にストロー２０の先が入り込んだ状態で、軟質材弁１８の薄肉部を弁座１６の上面に押さえつけて密閉状態を保つようになっている。
【００１５】
図２に示す密閉状態でカップ内に熱い飲み物が入っている場合、内圧が高まった状態になるが、この状態でキャップ１４を取付け部１２から外すと、内圧によって軟質材弁１８の薄肉部が押し上げられ、弁座１６との間に隙間ができ、そこから空気が逃げて内圧が下がる。したがって、熱いお湯を使って調乳をした時などにあって密閉状態で蓋体１１をセットしたとしても、飲む時にキャップ１４を外す操作を行うと同時に内圧を下げることができる。
【００１６】
【発明の効果】
以上説明したように、本発明によれば、キャップを外すと同時に通気孔が開けられることから、熱い飲み物の吹き出しを防止できて安全であることは勿論、操作が一回で済む上に確実である。また、従来のものに比べると、構造が簡単であるので、清掃が簡単である上に、製品コストを押さえることができる。
【図面の簡単な説明】
【図１】従来のプラスチック製カップ容器を示す正面図である。
【図２】本発明に係るプラスチック製カップ容器の一例を示すもので、その要部を拡大して示した半断面図である。
【符号の説明】
１１  蓋体
１２  取付け部
１３  周縁部分
１４  キャップ
１５  ヒンジ
１６  弁座
１７  通気孔
１８  軟質材弁
１９  筒状突起
２０  ストロー
【図１】
0004266440.tif 000002
【図２】
0004266440.tif 000003